(57)【特許請求の範囲】
【請求項１】
釣り用リールのローラクラッチであって、
外輪と、
前記外輪の半径方向内側に配置された内輪と、
前記内輪と前記外輪との間に配置され、前記外輪と前記内輪との間で動力を伝達する伝達位置と前記動力の伝達を解除する非伝達位置との間で移動可能なローラと、
前記ローラを前記伝達位置側又は前記非伝達位置側に付勢するトーションばねと、
を備え、
前記トーションばねは、コイル部と、前記コイル部から延びるアーム部と、を有し、
前記アーム部は、前記ローラの軸方向と直交する方向に直線状に延びて前記ローラと接触する押圧部を有する、
釣り用リールのローラクラッチ。
【請求項２】
前記コイル部は、前記外輪または内輪と軸方向において隣接する、
請求項１に記載の釣り用リールのローラクラッチ。
【請求項３】
前記コイル部は、半径方向視において、前記ローラと重複しないように配置される、
請求項１又は２に記載の釣り用リールのローラクラッチ。
【請求項４】
前記アーム部は、前記ローラの軸方向に沿って延びる中間部をさらに有し、
前記押圧部は、前記中間部の先端部から延びる、
請求項１から３のいずれかに記載の釣り用リールのローラクラッチ。
【請求項５】
前記押圧部は、前記ローラの軸方向における中央部と接触する、
請求項１から４のいずれかに記載の釣り用リールのローラクラッチ。
【請求項６】
前記コイル部の自然高さは、前記コイル部の密着高さよりも長い、
請求項１から５のいずれかに記載の釣り用リールのローラクラッチ。
【請求項７】
前記コイル部は、隣り合うコイルが互いに非接触である、
請求項１から６のいずれかに記載の釣り用リールのローラクラッチ。
【請求項８】
前記トーションばねを収容する収容穴を有する収容部材をさらに備える、
請求項１から７のいずれかに記載の釣り用リールのローラクラッチ。
【発明の詳細な説明】
【技術分野】
【０００１】
本発明は、釣り用リールのローラクラッチに関するものである。
【背景技術】
【０００２】
釣り用リールのローラクラッチは、外輪、内輪、及びローラを有しており、回転を一方向にのみ伝達可能である。一般的に、釣り用リールに用いられるローラクラッチは、外輪が釣り用リール本体に相対回転不能に取り付けられている。このため、例えば、内輪が外輪に対して、一方向に回転すると、ローラが伝達位置に移動し、その回転が外輪に伝達されると、内輪はその一方向への回転が阻止される。一方、内輪が外輪に対して逆方向に回転すると、ローラが非伝達位置に移動し、内輪の回転は外輪に伝達されないので、その逆方向への回転が可能となるよう構成されている。
【０００３】
一般的に、ローラは、付勢部材によって伝達位置に付勢されている。例えば、特許文献１に示されるローラクラッチでは、トーションばねがローラを伝達位置に付勢している。トーションばねは、コイル部と、コイル部から延びるアーム部を有している。アーム部は、ローラを押圧している。このアーム部は、ローラの軸方向に沿って延びるとともに、ローラの軸方向に傾斜するように延びている。
【先行技術文献】
【特許文献】
【０００４】
【特許文献１】特開平９−２８９８５０号公報
【発明の概要】
【発明が解決しようとする課題】
【０００５】
このように、ローラの軸方向、つまりは、ローラの転がり軸方向に対して、アーム部が傾斜し、その状態でアーム部はローラと接触し押圧している。このため、ローラの転がり位置によって、ローラとアーム部との接触・押圧位置が、ローラの軸方向に変化する。この結果、ローラを傾けるモーメントが発生するという問題がある。そこで、本発明の課題は、安定してローラを付勢することにある。
【課題を解決するための手段】
【０００６】
本発明のある側面に係る釣り用リールのローラクラッチは、外輪と、内輪と、ローラと、トーションばねとを備えている。内輪は、外輪の半径方向内側に配置されている。ローラは、内輪と外輪との間に配置されている。ローラは、外輪と内輪との間で動力を伝達する伝達位置と、動力の伝達を解除する非伝達位置と、の間で移動可能である。トーションばねは、ローラを伝達位置側又は非伝達位置側に付勢する。トーションばねは、コイル部と、コイル部から延びるアーム部と、を有する。アーム部は、押圧部を有する。押圧部は、ローラの軸方向と直交する方向に延びてローラと接触する。
【０００７】
この構成によれば、ローラと接触する押圧部は、ローラの軸方向と直交する方向に延びている。このため、ローラが周方向に移動しても、押圧部とローラとの接触位置は、ローラの軸方向において実質的に変化しない。したがって、ローラを傾けるモーメントも発生せず、ローラを安定して付勢することができる。
【０００８】
好ましくは、コイル部は、前記外輪または内輪と軸方向において隣接する。
【０００９】
好ましくは、コイル部は、半径方向視において、前記ローラと重複しないように配置される。この構成によれば、半径方向にコイル部とローラ部が重複しないので、径方向の小型化が図られ、ひいては、釣り用リールを小型化することができる。
【００１０】
好ましくは、アーム部は、前記ローラの軸方向に沿って延びる中間部をさらに有し、
前記押圧部は、前記中間部の先端部から延びる。
【００１１】
好ましくは、押圧部は、前記ローラの軸方向における中央部と接触する。
【００１２】
好ましくは、コイル部の自然高さは、前記コイル部の密着高さよりも長い。
【００１３】
好ましくは、コイル部は、隣り合うコイルが互いに非接触である。
【００１４】
好ましくは、釣り用リールのローラクラッチは、トーションばねを収容する収容穴を有する収容部材をさらに備える。
【発明の効果】
【００１５】
本発明によれば、ローラを安定して付勢することができる。
【図面の簡単な説明】
【００１６】
【図１】スピニングリールの断面図。
【図２】ローラクラッチの正面図。
【図３】ローラクラッチの側面断面図。
【図４】外輪を取り外した状態におけるローラクラッチの正面図。
【図５】外輪を取り外した状態におけるローラクラッチの拡大斜視図。
【図６】トーションばねの側面図。
【図７】トーションばねとローラとの接触位置を示すローラクラッチの斜視図。
【発明を実施するための形態】
【００１７】
以下、本発明に係るローラクラッチの実施形態について図面を参照しつつ説明する。なお、以下の説明において、特に断りのない限り、軸方向とはロータ１５の回転軸Ｏが延びる方向を示し、半径方向とは回転軸Ｏを中心とした円の半径方向を示し、周方向とは回転軸Ｏを中心とした円の周方向を示す。
【００１８】
［スピニングリール］
図１に示すように、スピニングリール１００は、釣糸を前方（図１の左方向）に繰り出す。スピニングリール１００は、リール本体１１、スプール軸１２、スプール１３、ピニオンギア１４、ロータ１５、ハンドル１６、及びローラクラッチ１０を備えている。
【００１９】
［リール本体］
リール本体１１は、内部空間を有しており、内部空間内に種々の機構を収容している。例えば、駆動ギア１７、及びオシレーティング機構１８がリール本体１１内に収容されている。また、リール本体１１の側面には、ハンドル１６が回転可能に取り付けられている。
【００２０】
ハンドル１６を回転させることによって、駆動ギア１７が回転する。駆動ギア１７は、フェースギアであり、ピニオンギア１４のギア部１４１と噛み合っている。オシレーティング機構１８は、スプール軸１２を軸方向に往復動させる機構である。
【００２１】
［スプール軸］
スプール軸１２は、リール本体１１に設けられている。詳細には、スプール軸１２は、リール本体１１内から前方に延びている。スプール軸１２は、ハンドル１６を回転させることによって、前後方向に往復動する。詳細には、ハンドル１６の回転が、駆動ギア１７及びオシレーティング機構１８を介して、スプール軸１２を前後方向に往復動させる。
【００２２】
［スプール］
スプール１３は、釣糸が巻きつけられる部材である。スプール１３は、スプール軸１２の先端部にドラグ機構１９を介して装着されている。スプール１３は、スプール軸１２と一体的に前後方向に往復動する。
【００２３】
［ピニオンギア］
ピニオンギア１４は、リール本体１１に設けられている。詳細には、ピニオンギア１４は、リール本体１１内から前方に延びている。ピニオンギア１４は、スプール軸１２周りに回転可能に配置されている。ピニオンギア１４は筒状に形成されており、ピニオンギア１４の内部をスプール軸１２が延びている。なお、ピニオンギア１４の内周面とスプール軸１２の外周面とが接触しないよう、ピニオンギア１４は複数の軸受を介してリール本体１１に支持されていることが好ましい。
【００２４】
ピニオンギア１４は、ギア部１４１と取付部１４２とを有している。ギア部１４１は、ピニオンギア１４の後部に位置しており、駆動ギア１７と噛み合っている。取付部１４２は、ピニオンギア１４の前部に位置している。取付部１４２は、種々の部材が取り付けられている。ピニオンギア１４の取付部１４２は、円筒状に形成されており、外周面に一対の平坦面を有している。各平坦面は軸方向に延びており、互いに平行である。
【００２５】
［ロータ］
ロータ１５は、スプール１３に釣糸を巻きつけるための部材である。ロータ１５は、ピニオンギア１４に固定されており、ピニオンギア１４と一体的に回転する。すなわち、ロータ１５はピニオンギア１４と相対回転不能である。なお、ロータ１５は、ピニオンギア１４の取付部１４２に取り付けられている。
【００２６】
［ローラクラッチ］
ローラクラッチ１０は、動力を一方向のみに伝達可能に構成されている。すなわち、ローラクラッチ１０は、ワンウェイクラッチとして構成されている。
【００２７】
図２及び図３に示すように、ローラクラッチ１０は、外輪２、内輪３、複数のローラ４、収容部材５、及び複数のトーションばね６を有している。
【００２８】
［収容部材］
収容部材５は、リール本体１１に固定されている。具体的には、収容部材５は、リール本体１１にボルトなどで固定されている。このため、収容部材５は、回転軸Ｏ周りに回転しない。
【００２９】
図３から図５に示すように、収容部材５は、複数の収容穴５１を有している。各収容穴５１は、トーションばね６を収容している。各収容穴５１は、周方向において、互いに間隔をあけて配置されている。各収容穴５１は、軸方向に貫通していない。すなわち、各収容穴５１は、凹部である。
【００３０】
各収容穴５１は、内壁面５２及び底面５３によって画定されている。図４に示すように、内壁面５２は、無端状に連結している。すなわち、正面視において、内壁面５２は、全周にわたって繋がっており、環状に形成されている。このため、収容穴５１は、開口端面を除いて、閉じられている。
【００３１】
図３に示すように、底面５３は、収容穴５１の軸方向の一方の端面を画定している。この底面５３は、平坦面である。すなわち、底面５３に凸部などは形成されていない。なお、各収容穴５１の軸方向の他方の端面は、開口している。
【００３２】
図４に示すように、各収容穴５１は、円筒部５１１と延在部５１２とを有している。延在部５１２は、円筒部５１１から周方向に延びている。円筒部５１１と延在部５１２とは一体的に形成されている。なお、円筒部５１１は、後述するコイル部６１を収容する部分であり、延在部５１２は、後述する第２アーム部６３を収容する部分である。
【００３３】
また、図３及び図４に示すように、収容部材５は、外周壁部５４、複数の係合凸部５５、及び貫通孔５６を有している。外周壁部５４は、回転軸Ｏを中心とした環状に形成されている。各係合凸部５５は、この外周壁部５４から半径方向内側に突出している。また、各係合凸部５５は、軸方向に延びている。各係合凸部５５は、周方向において互いに間隔をあけて配置されている。貫通孔５６は、収容部材５の中央部に形成されており、軸方向に延びている。
【００３４】
［内輪］
図２及び図３に示すように、内輪３は、外輪２の半径方向内側に配置されている。詳細には、内輪３は、収容部材５の貫通孔５６内を延びている。内輪３は、円筒状であり、ピニオンギア１４の取付部１４２に取り付けられる。内輪３の内周面には、一対の係合面３１が形成されている。内輪３の各係合面３１は、ピニオンギア１４の取付部１４２の各平坦面と係合する。このため、内輪３はピニオンギア１４と一体的に回転する。
【００３５】
［外輪］
図２に示すように、外輪２は、略円筒状に形成されており、外周面に複数の係合凹部２１を有している。外輪２の各係合凹部２１は、収容部材５の係合凸部５５と係合する。これにより、外輪２は、収容部材５と相対回転不能となる。収容部材５は、回転軸Ｏ周りに回転不能であるため、外輪２も同様に回転軸Ｏ周りに回転不能となる。
【００３６】
外輪２は、各収容穴５１の開口端面を封鎖するように配置されている。このため、各収容穴５１に収容されたトーションばね６が収容穴５１から抜け落ちることを外輪２によって防止されている。また、外輪２は、収容部材５の外周壁部５４によって半径方向に支持されている。
【００３７】
外輪２は、複数のカム面２２を有している。各カム面２２は、外輪２の内周面に形成されている。各カム面２２は、周方向に沿って回転軸Ｏとの距離が変化する。具体的には、各カム面２２は、図２の時計周りの方向に向かって回転軸Ｏに近付くように傾斜している。
【００３８】
［ローラ］
ローラ４は、内輪３と外輪２との間に配置されている。詳細には、ローラ４は、内輪３の外周面と、外輪２のカム面２２との間に配置されている。各ローラ４は、周方向に互いに間隔をあけて配置されている。ローラ４は、円柱状であって、回転軸Ｏに沿って延びている。すなわち、ローラ４の軸方向は、回転軸Ｏの延びる方向と同じである。ローラ４は、伝達位置と非伝達位置との間で移動可能である。なお、ローラ４は、トーションばね６によって、伝達位置側に付勢されている。
【００３９】
伝達位置における外輪２のカム面２２と内輪３の外周面との距離は、ローラ４の直径よりも小さい。このため、ローラ４が伝達位置に移動すると、ローラ４は外輪２のカム面２２と内輪３の外周面との間にくい込む。この結果、ローラ４は内輪３と外輪２との間で動力を伝達する。
【００４０】
なお、本実施形態では、外輪２は回転軸Ｏ周りに回転不能であるため、ローラ４が伝達位置に移動すると、内輪３も回転軸Ｏ周りに回転不能となる。具体的には、糸繰り出し方向にハンドル１６を回そうとすると、内輪３が図２の時計周りに回転して、ローラ４が伝達位置に移動する。このため、内輪３は回転不能となり、結果的に、ハンドル１６も糸繰り出し方向に回すことができなくなる。
【００４１】
非伝達位置における外輪２のカム面２２と内輪３の外周面との距離は、ローラ４の直径よりも大きい。このため、ローラ４が非伝達位置に移動すると、外輪２と内輪３との間で各ローラ４は自転可能となる。この結果、内輪３の動力は外輪２に伝達されない。すなわち、内輪３は回転可能となる。具体的には、糸巻き取り方向にハンドル１６を回すと、内輪３が図２の反時計周りに回転し、ローラ４が非伝達位置に移動する。このため、ハンドル１６、内輪３、ピニオンギア１４及びロータ１５が糸巻取方向に回転可能となる。
【００４２】
［トーションばね］
図４及び図５に示すように、トーションばね６は、ローラ４を伝達位置側に付勢するように構成されている。トーションばね６は、収容部材５の収容穴５１に収容されている。トーションばね６は、収容穴５１を画定する内壁面５２によって支持されている。
【００４３】
図６に示すように、トーションばね６は、コイル部６１と、第１アーム部６２と、第２アーム部６３と、を有している。コイル部６１、第１アーム部６２、及び第２アーム部６３は、一本の素線から構成されている。なお、第１アーム部６２は、本発明のアーム部に相当する。
【００４４】
コイル部６１は、トーションばね６のうち、コイル状に巻かれた部分である、コイル部６１は、収容穴５１のうち、円筒部５１１に収容されている。コイル部６１は、軸方向に延びている。図３に示すように、コイル部６１は、外輪２と軸方向において隣接している。このため、コイル部６１は、半径方向視において、実質的にローラ４と重複しないように配置されている。なお、コイル部６１の端部は、ローラ４と重複していてもよい。
【００４５】
図６に示すように、コイル部６１の自然高さＨは、コイル部６１の密着高さよりも長い。すなわち、コイル部６１は、圧縮可能である。コイル部６１は隣り合うコイル間に隙間Ｇを有しており、隣り合うコイルは互いに非接触である。なお、トーションばね６が取り付けられた状態においても、コイル部６１は隣り合うコイル間に隙間Ｇを有しており、隣り合うコイルは互いに非接触である。
【００４６】
第１アーム部６２は、コイル部６１から階段状に延びている。第１アーム部６２は、ローラ４を伝達位置に向かって付勢している。この第１アーム部６２は、ローラ４の外周面と当接している。第１アーム部６２は、第１中間部６２１と、第２中間部６２２と、押圧部６２３とを有している。なお、第２中間部６２２が、本発明の中間部に相当する。
【００４７】
第１中間部６２１は、コイル部６１から軸方向と直交する方向に延びている。詳細には、第１中間部６２１は、コイル部６１から接線方向に延びている。
【００４８】
図６及び図７に示すように、第２中間部６２２は、第１中間部６２１の先端部からローラ４の軸方向に沿って延びている。すなわち、第２中間部６２２は、第１中間部６２１と直交する方向に延びている。第２中間部６２２は、外輪２の内周面に沿って延びている。また、第２中間部６２２は、ローラ４の外周面に沿って延びている。第２中間部６２２は、軸方向において、ローラ４の中央部まで延びている。
【００４９】
押圧部６２３は、第２中間部６２２の先端部から、ローラ４の軸方向と直交する方向に延びている。なお、押圧部６２３が延びる方向は、ローラ４の軸方向と直交する方向と完全に一致している必要はない。ローラ４の径の大きさ、伝達位置と非伝達位置との距離（ローラの転がり移動距離）に左右されるが、例えば、押圧部６２３が延びる方向と、ローラ４の軸方向とがなす角度が９０度±１０度以内であれば、押圧部６２３はローラ４の軸方向と直交する方向に延びているとみなすことができる。
【００５０】
押圧部６２３は、ローラ４と接触し、ローラ４を押圧している。この結果、ローラ４は、トーションばね６によって、伝達位置側に向かって付勢されている。押圧部６２３は、ローラ４の軸方向における中央部を押圧している。
【００５１】
第２アーム部６３は、コイル部６１から延びており、軸方向と直交する方向に延びている。第２アーム部６３は、第１アーム部６２と異なり、直線状に延びている。
【００５２】
図４に示すように、第２アーム部６３は、延在部５１２内に配置されている。この第２アーム部６３は、延在部５１２内の内壁面５２と当接している。第１及び第２アーム部６２、６３間の角度は、自由時角度よりも開いた状態で取り付けられている。
【００５３】
［変形例］
以上、本発明の実施形態について説明したが、本発明はこれらに限定されるものではなく、本発明の趣旨を逸脱しない限りにおいて種々の変更が可能である。
【００５４】
（ａ）上記実施形態では、外輪２は回転軸Ｏ周りに回転不能に取り付けられているが、外輪２は回転軸Ｏ周りに回転可能であってもよい。この場合、ローラ４が伝達位置に移動すると、内輪３の動力が外輪２に伝達され、内輪３と外輪２とが一体的に回転する。
【００５５】
（ｂ）上記実施形態では、トーションばね６は、収容部材５の収容穴５１内に収容されており、内壁面５２によって支持されているが、特にこれに限定されない。例えば、トーションばね６は、コイル部６１を貫通するピンなどによって支持されていてもよい。
【００５６】
（ｃ）上記実施形態では、トーションばね６は、ローラ４を伝達位置側に付勢しているが、特にこれに限定されない。例えば、トーションばね６は、ローラ４を非伝達位置側に付勢していてもよい。
【符号の説明】
【００５７】
２    外輪
３    内輪
４    ローラ
５    収容部材
６    トーションばね
６１    コイル部
６２    第１アーム部
６２２    第２中間部
６２３    押圧部
１０    ローラクラッチ
【図１】
0006987612.tif 000002
【図２】
0006987612.tif 000003
【図３】
0006987612.tif 000004
【図４】
0006987612.tif 000005
【図５】
0006987612.tif 000006
【図６】
0006987612.tif 000007
【図７】
0006987612.tif 000008